(57)【要約】      （修正有）【課題】練習をする者が自分にとって最適なスイングプレーンを正確に捉えることができ、これにより常に安定したスイングフォームをマスターすることができるスイング軌道練習用具を提供する。【解決手段】打点位置に設けた巻取り手段１１を起点として引き出した線状体１２の先端をゴルフクラブのクラブヘッド１４の近辺に着脱可能に取り付けるとともに、ゴルフクラブのグリップエンド１５にＵ字状断面のガイド２２を装着する。この構造により、スイングを始動してバックスイングに入る段階で、クラブヘッドに前記先端を装着された線状体１２が、前記Ｕ字状断面のガイド２２に係合する位置に導かれ、ゴルフスイングが正しいスイング軌道をたどっているかどうかを確認することができるようになる。【選択図】図１
0003174991.tif 000002
【実用新案登録請求の範囲】
【請求項１】
打点位置に設けた巻取り手段を起点として引き出した線状体の先端をゴルフクラブのクラブヘッド近辺に着脱可能に取り付けるとともに、ゴルフクラブのグリップエンドにＵ字状断面のガイドを装着することにより、
スイングを始動してバックスイングに入る段階で、クラブヘッドに前記先端を装着された線状体が、前記Ｕ字状断面のガイドに係合する位置に導かれ、ゴルフスイングが正しいスイング軌道をたどっているかどうかを確認することができるようにしたことを特徴とするスイング軌道練習用具。
【請求項２】
前記ゴルフクラブのグリップエンドに装着したＵ字状断面のガイドが、前記グリップエンドに設けられた小孔にはめ込むピンをその底面に備えていることを特徴とする請求項１に記載のスイング軌道練習用具。
【請求項３】
前記ゴルフクラブのグリップエンドに装着したＵ字状断面のガイドが、底部に突設した筒状のキャップをグリップエンドにはめ込んで取り付けられるようにしたことを特徴とする請求項１に記載のスイング軌道練習用具。
【請求項４】
前記ゴルフクラブのグリップエンドに装着したＵ字状断面のガイドが、底部に突設したクリップでグリップエンドを挟んで取り付けられるようにしたことを特徴とする請求項１に記載のスイング軌道練習用具。
【請求項５】
前記ゴルフクラブのグリップエンドに装着したＵ字状断面のガイドが、前記線状体がＵ字部分にはめ込まれたことを光や音声で報知するようにしたことを特徴とする請求項１ないし４に記載のスイング軌道練習用具。
【請求項６】
前記クラブヘッドへの線状体の装着手段が、線状体の先端に取り付けたリング状の弾性バンド、あるいは両端を面ファスナにより所定長さで連結可能としたリング状のベルトからなることを特徴とする請求項１ないし５のいずれかに記載のスイング軌道練習用具。
【請求項７】
前記クラブヘッドへの線状体の装着手段が、線状体の先端に取り付けた吸盤もしくは粘着シートからなることを特徴とする請求項１ないし５のいずれかに記載のスイング軌道練習用具。
【考案の詳細な説明】
【技術分野】
【０００１】
この考案は、ゴルフクラブの理想的なスイング軌道をマスターするためのスイング軌道練習用具に関する。
【背景技術】
【０００２】
ゴルフクラブの基本的なスイング軌道は、自分の狙った方向へボールを正確に飛ばし、目標の至近距離へボールを近づけることであるため、練習に際しては、先ず、ボールを正確に打つための基本技術をマスターする必要がある。
ところで、このボールを正確に打つための基本技術には複数の種類があるが、どのようなショットをするにも共通する基本は、グリップ（クラブの握り方）、スタンス（体の構え方）及びスイング（クラブの振り方）の三つであり、正確なグリップとスタンスを土台にして、いつも同じスイングができるようになれば、自ずと飛球方向が安定してくるものである。
しかしながら、これらの三つの基本のうち、グリップ及びスタンスについてはその位置、例えばクラブを握るグリップの位置やスタンスの位置をプレイヤー自身で目視し、認識できるのに対し、スイングについてはこれができないため、自分に最適なスイング軌道をマスターすることはなかなか困難である。
【０００３】
ところで、このゴルフクラブのスイングは、アドレスからバックスイングを経てトップに至る円弧（スイングアーク）運動と、このトップから遠心力を利用したダウンスイングによる大きな力でボールを打ち（インパクト）、そのまま振り抜くフォロースルーを経てフィニッシュに至る円弧（フィニッシュ）運動とからなる。
このスイングアークの長さ、すなわちアドレス位置からトップ位置までの長さと、フィニッシュの長さ、すなわちインパクト位置からフィニッシュ位置までの長さとは基本的には同じであって、両者を合わせると一つの円となり、クラブヘッドにより円軌道が描かれる。
【０００４】
そして、上述したアドレス時において、クラブフェイスをボールに直角に構えてから、上述した一連のスイングにおけるクラブヘッドの描く円軌道の最低点がボールの位置と一致するスイングの場合に、ボールを目標に向かって正確に飛ばすことができる。なお、このようなスイング時にクラブヘッドが描く円軌道によって作られる面はスイングプレーンと呼ばれている。
【０００５】
上述したトップから遠心力を利用したダウンスイングに入り、インパクトに至る動作は非常に速く、したがって、ダウンスイングのクラブヘッドの軌道は、クラブフェイスを整えたアドレスからバックスイングを経てトップに至るクラブヘッドの描く円弧状の軌道、つまりトップまでが重要な要素となっている。一方ダウンスイングはトップからの自然な振り下ろし動作であり、またフォロースルーもダウンスイングからのインパクトを経た自然の振り抜き動作ということができる。
【０００６】
このようなトップ位置を正確に再現するための先行技術として実開平２−１４７１５９号公報（特許文献１参照）があり、これはリールケースから引き出し可能とした糸をクラブシャフトに取り付けて、トップの位置が正しければ糸の線上と左腕の線上とが重なるので、振り上げ角度を一定に保つことができるというスイング練習用具である。
また、特開２００２−２５３７２１号公報（特許文献２参照）には、紐状体の一端をゴルフクラブのヘッドに着脱自在に取り付けるとともに、他端側を回転自在に軸支されたリールに巻装しておき、ゴルフクラブのヘッドの移動により一端側から繰り出し、該繰り出した紐状体のスイングアークの長さを表示手段により表示して練習者にその数値を読み取れるようにし、スイングが終了した時点で前記紐状体を巻取手段により前記リールに巻き取るようにしたスイング軌道練習用具が記載されている。
【先行技術文献】
【特許文献】
【０００７】
【特許文献１】実開平２−１４７１５９号公報
【特許文献２】特開２００２−２５３７２１号公報
【考案の概要】
【考案が解決しようとする課題】
【０００８】
しかしながら、実開平２−１４７１５９号公報（特許文献１参照）のスイング練習用具においては、糸の線上と左腕の線上とが重なるようにしているが、その重なりの復元性は正確性に欠けるものであり、またグリップの向きを確認することはできなかった。
特開２００２−２５３７２１号公報（特許文献２参照）のスイング軌道練習用具においては、スイング過程において紐状体が検知部材の目盛板を横切るようにクラブに装着してあり、練習者はこのときの紐状体の接触位置を自分の目で読み取る必要があるが、このような読取り手段の採用はリード側の例えば左腕を伸ばした状態にあることを考えると不合理であって、高齢者でなくても読み取りにくいという問題点があった。
【０００９】
この考案の目的は、練習をする者が自分にとって最適なスイングプレーンを正確に捉えることができ、これにより常に安定したスイングフォームをマスターすることができるスイング軌道練習用具を提供することにある。
【課題を解決するための手段】
【００１０】
すなわちこの考案のスイング軌道練習用具は、打点位置に設けた巻取り手段を起点として引き出した線状体の先端をゴルフクラブのクラブヘッド近辺に着脱可能に取り付けるとともに、ゴルフクラブのグリップエンドにＵ字状断面のガイドを装着することにより、
スイングを始動してバックスイングに入る段階で、クラブヘッドに前記先端を装着された線状体が、前記Ｕ字状断面のガイドに係合する位置に導かれ、ゴルフスイングが正しいスイング軌道をたどっているかどうかを確認することができるようにしたことを特徴とするものである。
【００１１】
この考案のスイング軌道練習用具は、前記ゴルフクラブのグリップエンドに装着したＵ字状断面のガイドが、前記グリップエンドに設けられた小孔にはめ込むピンをその底面に備えていることをも特徴とするものである。
【００１２】
この考案のスイング軌道練習用具は、前記ゴルフクラブのグリップエンドに装着したＵ字状断面のガイドが、底部に突設した筒状のキャップをグリップエンドにはめ込んで取り付けられるようにしたことをも特徴とするものである。
【００１３】
この考案のスイング軌道練習用具は、前記ゴルフクラブのグリップエンドに装着したＵ字状断面のガイドが、底部に突設したクリップでグリップエンドを挟んで取り付けられるようにしたことをも特徴とするものである。
【００１４】
この考案のスイング軌道練習用具は、前記ゴルフクラブのグリップエンドに装着したＵ字状断面のガイドが、前記線状体がＵ字部分にはめ込まれたことを光や音声で報知するようにしたことをも特徴とするものである。
【００１５】
この考案のスイング軌道練習用具は、前記クラブヘッドへの線状体の装着手段が、線状体の先端に取り付けたリング状の弾性バンド、あるいは両端を面ファスナにより所定長さで連結可能としたリング状のベルトからなることをも特徴とするものである。
【００１６】
この考案のスイング軌道練習用具は、前記クラブヘッドへの線状体の装着手段が、線状体の先端に取り付けた吸盤もしくは粘着シートからなることをも特徴とするものである。
【考案の効果】
【００１７】
この考案に係るスイング軌道練習用具によれば、スイング軌道を練習する者は自分にとって最適なスイングプレーンの軌道を認識しつつ、このスイングプレーンを自らの目で確認しながら練習をすることができるので、スイングの基本技術、すなわちボールを目標に向かって正確に飛ばすための基本技術を容易かつ短期間にマスターすることができる。
【００１８】
また、スイング軌道練習用具そのものがコンパクトであり、かつ携帯可能に構成されているので、スイング軌道を練習する者が手軽に持ち運びできるので非常に便利である。
【図面の簡単な説明】
【００１９】
【図１】スイング軌道練習用具を用いてスイング練習をしている状況の説明図である。
【図２】ガイドの１実施例を示す斜視図である。
【図３】ガイドの別の実施例を示す斜視図である。
【図４】打点位置に設けた巻取り手段から引き出した線状体をリング状の弾性バンドを介してクラブヘッドに装着した状態を示す斜視図である。
【考案を実施するための形態】
【００２０】
以下この考案のスイング軌道練習用具の実施の形態について図面に基いて詳細に説明する。
図１のスイング軌道練習用具１０を用いてスイング練習をしている状況の説明図であり、打点位置にはぜんまいばね等で巻取り方向に付勢されたリール状の巻取り手段１１が設置されている。
そして、このリール状の巻取り手段１１を起点としてプラスチックワイヤ等からなる線状体１２を引き出し、線状体１２の先端をゴルフクラブ１３のクラブヘッド１４近辺に着脱可能に取り付けている。
【００２１】
前記クラブヘッド１４への線状体１２の装着手段としては、図４に示すような、前記線状体１２の先端に取り付けたリング状の弾性バンド２１とすることができる。
もちろん、前記リング状の弾性バンド２１に代えて両端を面ファスナにより所定長さで連結可能としたリング状のベルトや、線状体の先端に取り付けた吸盤もしくは粘着シート等を用いることができる。
【００２２】
一方、ゴルフクラブ１３のグリップエンド１５には、Ｕ字状断面のガイド２２が装着されている。
この考案のスイング軌道練習用具において、前記ゴルフクラブ１３のグリップエンド１５に装着したＵ字状断面のガイド２２としては、図２のように該ガイド２２の底面に前記グリップエンド１５に設けられた小孔１６にはめ込むピン２３を備えているものとすることができる。
【００２３】
また、前記ゴルフクラブ１３のグリップエンド１５に装着したＵ字状断面のガイド２２としては、図３のように該ガイド２２の底部に下向きに突設した筒状のキャップ２４を、前記グリップエンド１５にはめ込んで取り付けられるようにしたものとすることもできる。
もちろん、前記ゴルフクラブ１３のグリップエンド１５に装着したＵ字状断面のガイド２２としては、該ガイド２２の底部に突設したクリップ（図示せず）でグリップエンド１５を挟み付けるものとすることもできる。
前記いずれのＵ字状断面のガイド２２もＵ字状の溝の向きを簡単に変えることができる。したがって、上達に応じて前記ガイド２２のＵ字溝の幅を狭くし、かつその向きを調節することによってスイングプレーンをより正確に再現しながら練習することができる。
【００２４】
なお、前記ゴルフクラブ１３のグリップエンド１５に装着したＵ字状断面のガイド２２が、前記線状体１２がこのガイド２２のＵ字部分にはめ込まれたことを光や音声で報知するセンサ（光センサ、感圧センサ等、図示せず）で検知するようにしてもよい。
このようにすれば、目視という確認手段だけでなく、ＬＥＤ等による発光やブザー音その他の音声でも報知することが可能であり、スイング中に目線をスイングプレーンから外すことなく、ゴルフスイングが正しいスイング軌道をたどっているかどうかを確認することができる。
【００２５】
この考案のスイング軌道練習用具によれば、スイングを始動してバックスイングに入る段階で、クラブヘッド１４に前記先端を装着された線状体１２が、前記Ｕ字状断面のガイド２２に係合する位置に導かれるかどうかによって、ゴルフスイングが正しいスイング軌道をたどっているかどうかを確認することができる。
すなわち、前記線状体１２が前記Ｕ字状断面のガイド２２に係合する位置に導かれたことを目で確認したり、発光や音声で確認することで、ゴルフスイングが正しいスイング軌道をたどっているかどうかを確認するのである。
スイング軌道を確認したのち、スイングプレーンを解除した場合には線状体１２は前記リール状の巻取り手段１１に巻き取られ、ゴルフクラブ１３は自動的に原点に復帰する。
【００２６】
前記線状体１２を巻き取る手段をリール状と表現したが、このほかに、例えば糸車あるいは巻取りローラ等の巻取り手段がこれに含まれることはいうまでもない。
また、線状体１２をリール状に巻き取る手段としてぜんまいばねを用いた機械的な手段としたが、例えば支軸に小型モータを装着して支軸を電気的に回転させて巻き取るようにすることも可能である。この場合には、前者に比べて構造がやや複雑化して製作コストが若干アップする可能性はあるが、線状体１２を確実に支軸に巻き取ることができる。
【産業上の利用可能性】
【００２７】
以上に詳述したように、この考案に係るスイング軌道練習用具によれば、ゴルフ練習用のみならず、クラブ類のスイング軌道をチェックするためであれば種々の用途に適用することができる。
【符号の説明】
【００２８】
１０  スイング軌道練習用具
１１  リール状の巻取り手段
１２  線状体
１３  ゴルフクラブ
１４  クラブヘッド
１５  グリップエンド
１６  小孔
２１  弾性バンド
２２  Ｕ字状断面のガイド
２３  ピン
２４  筒状のキャップ
【図１】
0003174991.tif 000003
【図２】
0003174991.tif 000004
【図３】
0003174991.tif 000005
【図４】
0003174991.tif 000006
【手続補正書】
【提出日】平成24年2月13日(2012.2.13)
【手続補正１】
【補正対象書類名】実用新案登録請求の範囲
【補正対象項目名】全文
【補正方法】変更
【補正の内容】
【実用新案登録請求の範囲】
【請求項１】
打点位置に設けた巻取り手段を起点として引き出し可能とした線状体の先端をゴルフクラブのクラブヘッド近辺に着脱可能に取り付けるとともに、ゴルフクラブのグリップエンドに前記線状体を進退可能にはめ込むＵ字状断面のガイドを装着したことを特徴とするスイング軌道練習用具。
【請求項２】
前記ゴルフクラブのグリップエンドに装着したＵ字状断面のガイドが、前記グリップエンドに設けられた小孔にはめ込むピンをその底面に備えていることを特徴とする請求項１に記載のスイング軌道練習用具。
【請求項３】
前記ゴルフクラブのグリップエンドに装着したＵ字状断面のガイドが、底部に突設した筒状のキャップをグリップエンドにはめ込んで取り付けられるようにしたことを特徴とする請求項１に記載のスイング軌道練習用具。
【請求項４】
前記ゴルフクラブのグリップエンドに装着したＵ字状断面のガイドが、底部に突設したクリップでグリップエンドを挟んで取り付けられるようにしたことを特徴とする請求項１に記載のスイング軌道練習用具。
【請求項５】
前記ゴルフクラブのグリップエンドに装着したＵ字状断面のガイドが、前記線状体がＵ字部分にはめ込まれたことを光や音声で報知するようにしたことを特徴とする請求項１ないし４に記載のスイング軌道練習用具。
【請求項６】
前記クラブヘッドへの線状体の装着手段が、線状体の先端に取り付けたリング状の弾性バンド、あるいは両端を面ファスナにより所定長さで連結可能としたリング状のベルトからなることを特徴とする請求項１ないし５のいずれかに記載のスイング軌道練習用具。
【請求項７】
前記クラブヘッドへの線状体の装着手段が、線状体の先端に取り付けた吸盤もしくは粘着シートからなることを特徴とする請求項１ないし５のいずれかに記載のスイング軌道練習用具。
【手続補正２】
【補正対象書類名】明細書
【補正対象項目名】全文
【補正方法】変更
【補正の内容】
【考案の詳細な説明】
【技術分野】
【０００１】
この考案は、ゴルフクラブの理想的なスイング軌道をマスターするためのスイング軌道練習用具に関する。
【背景技術】
【０００２】
ゴルフクラブの基本的なスイング軌道は、自分の狙った方向へボールを正確に飛ばし、目標の至近距離へボールを近づけることであるため、練習に際しては、先ず、ボールを正確に打つための基本技術をマスターする必要がある。
ところで、このボールを正確に打つための基本技術には複数の種類があるが、どのようなショットをするにも共通する基本は、グリップ（クラブの握り方）、スタンス（体の構え方）及びスイング（クラブの振り方）の三つであり、正確なグリップとスタンスを土台にして、いつも同じスイングができるようになれば、自ずと飛球方向が安定してくるものである。
しかしながら、これらの三つの基本のうち、グリップ及びスタンスについてはその位置、例えばクラブを握るグリップの位置やスタンスの位置をプレイヤー自身で目視し、認識できるのに対し、スイングについてはこれができないため、自分に最適なスイング軌道をマスターすることはなかなか困難である。
【０００３】
ところで、このゴルフクラブのスイングは、アドレスからバックスイングを経てトップに至る円弧（スイングアーク）運動と、このトップから遠心力を利用したダウンスイングによる大きな力でボールを打ち（インパクト）、そのまま振り抜くフォロースルーを経てフィニッシュに至る円弧（フィニッシュ）運動とからなる。
このスイングアークの長さ、すなわちアドレス位置からトップ位置までの長さと、フィニッシュの長さ、すなわちインパクト位置からフィニッシュ位置までの長さとは基本的には同じであって、両者を合わせると一つの円となり、クラブヘッドにより円軌道が描かれる。
【０００４】
そして、上述したアドレス時において、クラブフェイスをボールに直角に構えてから、上述した一連のスイングにおけるクラブヘッドの描く円軌道の最低点がボールの位置と一致するスイングの場合に、ボールを目標に向かって正確に飛ばすことができる。なお、このようなスイング時にクラブヘッドが描く円軌道によって作られる面はスイングプレーンと呼ばれている。
【０００５】
上述したトップから遠心力を利用したダウンスイングに入り、インパクトに至る動作は非常に速く、したがって、ダウンスイングのクラブヘッドの軌道は、クラブフェイスを整えたアドレスからバックスイングを経てトップに至るクラブヘッドの描く円弧状の軌道、つまりトップまでが重要な要素となっている。一方ダウンスイングはトップからの自然な振り下ろし動作であり、またフォロースルーもダウンスイングからのインパクトを経た自然の振り抜き動作ということができる。
【０００６】
このようなトップ位置を正確に再現するための先行技術として実開平２−１４７１５９号公報（特許文献１参照）があり、これはリールケースから引き出し可能とした糸をクラブシャフトに取り付けて、トップの位置が正しければ糸の線上と左腕の線上とが重なるので、振り上げ角度を一定に保つことができるというスイング練習用具である。
また、特開２００２−２５３７２１号公報（特許文献２参照）には、紐状体の一端をゴルフクラブのヘッドに着脱自在に取り付けるとともに、他端側を回転自在に軸支されたリールに巻装しておき、ゴルフクラブのヘッドの移動により一端側から繰り出し、該繰り出した紐状体のスイングアークの長さを表示手段により表示して練習者にその数値を読み取れるようにし、スイングが終了した時点で前記紐状体を巻取手段により前記リールに巻き取るようにしたスイング軌道練習用具が記載されている。
【先行技術文献】
【特許文献】
【０００７】
【特許文献１】実開平２−１４７１５９号公報
【特許文献２】特開２００２−２５３７２１号公報
【考案の概要】
【考案が解決しようとする課題】
【０００８】
しかしながら、実開平２−１４７１５９号公報（特許文献１参照）のスイング練習用具においては、糸の線上と左腕の線上とが重なるようにしているが、その重なりの復元性は正確性に欠けるものであり、またグリップの向きを確認することはできなかった。
特開２００２−２５３７２１号公報（特許文献２参照）のスイング軌道練習用具においては、スイング過程において紐状体が検知部材の目盛板を横切るようにクラブに装着してあり、練習者はこのときの紐状体の接触位置を自分の目で読み取る必要があるが、このような読取り手段の採用はリード側の例えば左腕を伸ばした状態にあることを考えると不合理であって、高齢者でなくても読み取りにくいという問題点があった。
【０００９】
この考案の目的は、練習をする者が自分にとって最適なスイングプレーンを正確に捉えることができ、これにより常に安定したスイングフォームをマスターすることができるスイング軌道練習用具を提供することにある。
【課題を解決するための手段】
【００１０】
すなわちこの考案のスイング軌道練習用具は、打点位置に設けた巻取り手段を起点として引き出し可能とした線状体の先端をゴルフクラブのクラブヘッド近辺に着脱可能に取り付けるとともに、ゴルフクラブのグリップエンドに前記線状体を進退可能にはめ込むＵ字状断面のガイドを装着したことを特徴とするものである。
こうすることにより、スイングを始動してバックスイングに入る段階で、クラブヘッドに前記先端を装着された線状体が、前記Ｕ字状断面のガイドに係合する位置に導かれ、ゴルフスイングが正しいスイング軌道をたどっているかどうかを確認することができる。
【００１１】
この考案のスイング軌道練習用具は、前記ゴルフクラブのグリップエンドに装着したＵ字状断面のガイドが、前記グリップエンドに設けられた小孔にはめ込むピンをその底面に備えていることをも特徴とするものである。
【００１２】
この考案のスイング軌道練習用具は、前記ゴルフクラブのグリップエンドに装着したＵ字状断面のガイドが、底部に突設した筒状のキャップをグリップエンドにはめ込んで取り付けられるようにしたことをも特徴とするものである。
【００１３】
この考案のスイング軌道練習用具は、前記ゴルフクラブのグリップエンドに装着したＵ字状断面のガイドが、底部に突設したクリップでグリップエンドを挟んで取り付けられるようにしたことをも特徴とするものである。
【００１４】
この考案のスイング軌道練習用具は、前記ゴルフクラブのグリップエンドに装着したＵ字状断面のガイドが、前記線状体がＵ字部分にはめ込まれたことを光や音声で報知するようにしたことをも特徴とするものである。
【００１５】
この考案のスイング軌道練習用具は、前記クラブヘッドへの線状体の装着手段が、線状体の先端に取り付けたリング状の弾性バンド、あるいは両端を面ファスナにより所定長さで連結可能としたリング状のベルトからなることをも特徴とするものである。
【００１６】
この考案のスイング軌道練習用具は、前記クラブヘッドへの線状体の装着手段が、線状体の先端に取り付けた吸盤もしくは粘着シートからなることをも特徴とするものである。
【考案の効果】
【００１７】
この考案に係るスイング軌道練習用具によれば、スイング軌道を練習する者は自分にとって最適なスイングプレーンの軌道を認識しつつ、このスイングプレーンを自らの目で確認しながら練習をすることができるので、スイングの基本技術、すなわちボールを目標に向かって正確に飛ばすための基本技術を容易かつ短期間にマスターすることができる。
【００１８】
また、スイング軌道練習用具そのものがコンパクトであり、かつ携帯可能に構成されているので、スイング軌道を練習する者が手軽に持ち運びできるので非常に便利である。
【図面の簡単な説明】
【００１９】
【図１】スイング軌道練習用具を用いてスイング練習をしている状況の説明図である。
【図２】ガイドの１実施例を示す斜視図である。
【図３】ガイドの別の実施例を示す斜視図である。
【図４】打点位置に設けた巻取り手段から引き出した線状体をリング状の弾性バンドを介してクラブヘッドに装着した状態を示す斜視図である。
【考案を実施するための形態】
【００２０】
以下この考案のスイング軌道練習用具の実施の形態について図面に基いて詳細に説明する。
図１のスイング軌道練習用具１０を用いてスイング練習をしている状況の説明図であり、打点位置にはぜんまいばね等で巻取り方向に付勢されたリール状の巻取り手段１１が設置されている。
そして、このリール状の巻取り手段１１を起点としてプラスチックワイヤ等からなる線状体１２を引き出し、線状体１２の先端をゴルフクラブ１３のクラブヘッド１４近辺に着脱可能に取り付けている。
【００２１】
前記クラブヘッド１４への線状体１２の装着手段としては、図４に示すような、前記線状体１２の先端に取り付けたリング状の弾性バンド２１とすることができる。
もちろん、前記リング状の弾性バンド２１に代えて両端を面ファスナにより所定長さで連結可能としたリング状のベルトや、線状体の先端に取り付けた吸盤もしくは粘着シート等を用いることができる。
【００２２】
一方、ゴルフクラブ１３のグリップエンド１５には、Ｕ字状断面のガイド２２が装着されている。
この考案のスイング軌道練習用具において、前記ゴルフクラブ１３のグリップエンド１５に装着したＵ字状断面のガイド２２としては、図２のように該ガイド２２の底面に前記グリップエンド１５に設けられた小孔１６にはめ込むピン２３を備えているものとすることができる。
【００２３】
また、前記ゴルフクラブ１３のグリップエンド１５に装着したＵ字状断面のガイド２２としては、図３のように該ガイド２２の底部に下向きに突設した筒状のキャップ２４を、前記グリップエンド１５にはめ込んで取り付けられるようにしたものとすることもできる。
もちろん、前記ゴルフクラブ１３のグリップエンド１５に装着したＵ字状断面のガイド２２としては、該ガイド２２の底部に突設したクリップ（図示せず）でグリップエンド１５を挟み付けるものとすることもできる。
前記いずれのＵ字状断面のガイド２２もＵ字状の溝の向きを簡単に変えることができる。したがって、上達に応じて前記ガイド２２のＵ字溝の幅を狭くし、かつその向きを調節することによってスイングプレーンをより正確に再現しながら練習することができる。
【００２４】
なお、前記ゴルフクラブ１３のグリップエンド１５に装着したＵ字状断面のガイド２２が、前記線状体１２がこのガイド２２のＵ字部分にはめ込まれたことを光や音声で報知するセンサ（光センサ、感圧センサ等、図示せず）で検知するようにしてもよい。
このようにすれば、目視という確認手段だけでなく、ＬＥＤ等による発光やブザー音その他の音声でも報知することが可能であり、スイング中に目線をスイングプレーンから外すことなく、ゴルフスイングが正しいスイング軌道をたどっているかどうかを確認することができる。
【００２５】
この考案のスイング軌道練習用具によれば、スイングを始動してバックスイングに入る段階で、クラブヘッド１４に前記先端を装着された線状体１２が、前記Ｕ字状断面のガイド２２に係合する位置に導かれるかどうかによって、ゴルフスイングが正しいスイング軌道をたどっているかどうかを確認することができる。
すなわち、前記線状体１２が前記Ｕ字状断面のガイド２２に係合する位置に導かれたことを目で確認したり、発光や音声で確認することで、ゴルフスイングが正しいスイング軌道をたどっているかどうかを確認するのである。
スイング軌道を確認したのち、スイングプレーンを解除した場合には線状体１２は前記リール状の巻取り手段１１に巻き取られ、ゴルフクラブ１３は自動的に原点に復帰する。
【００２６】
前記線状体１２を巻き取る手段をリール状と表現したが、このほかに、例えば糸車あるいは巻取りローラ等の巻取り手段がこれに含まれることはいうまでもない。
また、線状体１２をリール状に巻き取る手段としてぜんまいばねを用いた機械的な手段としたが、例えば支軸に小型モータを装着して支軸を電気的に回転させて巻き取るようにすることも可能である。この場合には、前者に比べて構造がやや複雑化して製作コストが若干アップする可能性はあるが、線状体１２を確実に支軸に巻き取ることができる。
【産業上の利用可能性】
【００２７】
以上に詳述したように、この考案に係るスイング軌道練習用具によれば、ゴルフ練習用のみならず、クラブ類のスイング軌道をチェックするためであれば種々の用途に適用することができる。
【符号の説明】
【００２８】
１０  スイング軌道練習用具
１１  リール状の巻取り手段
１２  線状体
１３  ゴルフクラブ
１４  クラブヘッド
１５  グリップエンド
１６  小孔
２１  弾性バンド
２２  Ｕ字状断面のガイド
２３  ピン
２４  筒状のキャップ